(57)【要約】【課題】基板ケースの不正開封時に、基板ケース内に設けた検出スイッチにより、安定して、かつ、確実に、不正開封を検出して報知できる遊技機の提供。【解決手段】遊技機１は、制御基板７を収納した基板ケース１０内に、ケース部４２のケース部３２からの外れを検出可能な検出スイッチ５１を配設させて、スイッチ５１の検出信号により、ケース１０の不正開封を報知する。スイッチ５１は、ケース部４２側のスイッチ本体５２と、押下げ時に本体５２から報知の信号を出力可能な作動片５６と、ケース部３２側に保持されて、不正開封時に作動片の突出端５６ｂを押下げる押下げ片５８と、を備える。ケース部３２側には、ケース１０を閉じる前において、突出端５６ｂを押下げ不能として押下げ片を保持する保持部６４が、配設され、ケース部４２側には、不正開封時の押下げ片の移動時に、作動片を押下げ可能に押下げ片を位置規制する規制部７１が、配設されている。【選択図】図９
2010187769.tif 000002
【特許請求の範囲】
【請求項１】
対応する係合手段を有した底側ケース部及び蓋側ケース部を具備して構成され、前記底側ケース部と前記蓋側ケース部との間に、制御基板を収納して、対応する前記係合手段を係合させることにより、前記制御基板の周囲を囲って閉じる基板ケースを備え、
前記基板ケース内に、前記蓋側ケース部の前記底側ケース部からの外れを検出した検出信号を出力可能な検出スイッチを配設させて、前記検出スイッチの検出信号により、前記基板ケースの不正開封を報知可能な遊技機であって、
前記検出スイッチが、
前記底側ケース部側若しくは前記蓋側ケース部側の一方に固定されるスイッチ本体と、
押下げ可能に前記スイッチ本体から突出するとともに、押下げ動作時に、前記スイッチ本体から前記検出信号を出力可能に、前記スイッチ本体に保持される作動片と、
前記底側ケース部側若しくは前記蓋側ケース部側の他方に保持されて、前記作動片の突出端の周囲に配設されるとともに、不正開封時に、前記作動片の突出端に摺動して前記作動片を押下げ可能な押下げ片と、
を備えて構成され、
前記押下げ片を保持する前記底側ケース部側若しくは前記蓋側ケース部側に、前記基板ケースを閉じる前において、前記作動片の突出端を押下げ不能状態として前記押下げ片を保持可能な保持部が、配設され、
前記蓋側ケース部若しくは前記底側ケース部の少なくとも一方に、前記基板ケースを閉じた後における不正開封時の前記押下げ片の移動時に、前記作動片を押下げ可能に前記押下げ片を位置規制する規制部が、配設される構成としていることを特徴とする遊技機。
【請求項２】
前記係合手段が、前記蓋側ケース部を、前記制御基板に沿う方向の閉じ方向にスライド移動させることにより、前記底側ケース部に係合させ、前記制御基板に沿う方向における前記閉じ方向と逆方向の開き方向にスライド移動させて、前記底側ケース部との係合を解除するように、構成され、
前記制御基板が、前記底側ケース部から離れる側に実装面を向けて、前記蓋側ケース部に固定され、
前記検出スイッチの前記スイッチ本体が、前記作動片を保持して、前記制御基板の実装面上に固定され、
前記押下げ片が、先端側に、前記作動片の突出端を突出可能に収納し、かつ、内周縁を不正開封時に前記作動片の突出端を押下げる操作面とする収納孔、を配設させるとともに、先端側を前記作動片の押下げ方向と逆方向の引上げ方向に回動可能に、元部側を、前記底側ケース部に軸支させて、配設され、
前記底側ケース部における前記押下げ片を軸支する軸支部が、前記保持部を構成して、前記押下げ片の押下げ方向側の面を支持する支持面を備えるとともに、前記引上げ方向に沿って移動可能に前記押下げ片を軸支する構成として、
前記規制部が、前記押下げ片の前記引上げ方向への移動を規制可能に、前記蓋側ケース部に設けられた嵌合部に抜け不能に嵌合されて、前記押下げ片における引上げ方向側の面に当接するストッパ、を備えて構成されていることを特徴とする請求項１に記載の遊技機。
【請求項３】
前記押下げ片が、元部側から先端側に向かう方向を、前記蓋側ケース部のスライド移動の方向に沿わせて、配設され、
前記蓋側ケース部の前記嵌合部が、前記ストッパを嵌入させる嵌合孔を備える筒形状に形成されるとともに、該嵌合孔の内周壁に、前記基板ケースを閉じる際のスライド移動時に前記押下げ片の先端側を前記作動片まで配置可能に挿入させる挿通孔、を備えて構成され、
前記底側ケース部の前記軸支部が、前記基板ケースを閉じた際に、前記ストッパにおける前記嵌合孔の開口側を除く周囲の全周を、前記嵌合部とともに、覆い可能なカバー部、を備えて構成されていることを特徴とする請求項２に記載の遊技機。
【請求項４】
前記検出スイッチが、前記作動片の押下げ時に、オン信号を前記検出信号として、前記スイッチ本体から出力する構成としていることを特徴とする請求項１乃至請求項３のいずれか１項に記載の遊技機。
【請求項５】
前記検出スイッチが、前記作動片の押下げ時、オフ信号を前記検出信号として、前記スイッチ本体から出力する構成としていることを特徴とする請求項１乃至請求項３のいずれか１項に記載の遊技機。
【発明の詳細な説明】
【技術分野】
【０００１】
本発明は、制御基板を収納した基板ケースを備えるパチンコ遊技機やスロットマシン等の遊技機に関し、詳しくは、基板ケース内に、基板ケースの不正開封を報知可能な検出スイッチを設けた遊技機に関する。
【背景技術】
【０００２】
従来、この種の遊技機では、制御基板を収納する基板ケースが、底側ケース部及び蓋側ケース部を具備して構成され、底側ケース部と蓋側ケース部との間に、制御基板を収納して、対応する係合手段を係合させることにより、制御基板の周囲を囲って閉じていた。そして、基板ケース内には、蓋側ケース部の底側ケース部からの外れを検出した検出信号を出力可能な検出スイッチが、配設されており、蓋側ケースが底側ケース部から外れて開いた際に、検出スイッチが、検出信号を出力して、基板ケースの不正開封を報知していた（例えば、特許文献１参照）。
【先行技術文献】
【特許文献】
【０００３】
【特許文献１】特開２００２−３４６０４４号公報（図５参照）
【発明の概要】
【発明が解決しようとする課題】
【０００４】
しかし、従来の遊技機では、検出スイッチが、作動片をスイッチ本体から突出させたマイクロスイッチから構成されており、基板ケースの開き時において、マイクロスイッチの作動片の押圧状態が、蓋側ケース部の外れによって、解除され、その結果、検出スイッチ内に内蔵した作動片を突出させるような付勢手段（圧縮コイルばね等）の付勢力を利用して、作動片がさらに突出して、不正開封を検出するものであった。
【０００５】
すなわち、従来の遊技機では、開封時に、作動片が突出しなければ、不正開封を検出できず、使用環境によって、作動片の周囲にゴミ等が付着していれば、付勢力が作用していても、開封時に、作動片が突出しない事態を招く虞れがあり、不正開封の検出の安定性に、改善の余地があった。
【０００６】
本発明は、上記の課題を解決するものであり、基板ケースの不正開封時に、基板ケース内に設けた検出スイッチにより、安定して、かつ、確実に、不正開封を検出して報知できる遊技機を提供することを目的とする。
【課題を解決するための手段】
【０００７】
本発明に係る遊技機は、対応する係合手段を有した底側ケース部及び蓋側ケース部を具備して構成され、底側ケース部と蓋側ケース部との間に、制御基板を収納して、対応する係合手段を係合させることにより、制御基板の周囲を囲って閉じる基板ケースを備え、
基板ケース内に、蓋側ケース部の底側ケース部からの外れを検出した検出信号を出力可能な検出スイッチを配設させて、検出スイッチの検出信号により、基板ケースの不正開封を報知可能な遊技機であって、
検出スイッチが、
底側ケース部側若しくは蓋側ケース部側の一方に固定されるスイッチ本体と、
押下げ可能にスイッチ本体から突出するとともに、押下げ動作時に、スイッチ本体から検出信号を出力可能に、スイッチ本体に保持される作動片と、
底側ケース部側若しくは蓋側ケース部側の他方に保持されて、作動片の突出端の周囲に配設されるとともに、不正開封時に、作動片の突出端に摺動して作動片を押下げ可能な押下げ片と、
を備えて構成され、
押下げ片を保持する底側ケース部側若しくは蓋側ケース部側に、基板ケースを閉じる前において、作動片の突出端を押下げ不能状態として押下げ片を保持可能な保持部が、配設され、
蓋側ケース部若しくは底側ケース部の少なくとも一方に、基板ケースを閉じた後における不正開封時の押下げ片の移動時に、作動片を押下げ可能に押下げ片を位置規制する規制部が、配設される構成としていることを特徴とする。
【０００８】
本発明に係る遊技機では、制御基板を収納した状態で基板ケースを閉じて、規制部によって押し下げ片を位置規制すれば、その後の不正開封時、底側ケース部に対して蓋側ケース部を相対的に移動させると、検出スイッチの押下げ片が、検出スイッチの作動片に対して相対的に移動し、作動片の突出端を押下げることとなる。そのため、検出スイッチのスイッチ本体が、作動片の押下げ動作により、蓋側ケース部の底側ケース部からの外れを検出した検出信号を出力できる。
【０００９】
そしてこの時、作動片は、蓋側ケース部の底側ケース部からの外れに伴って、さらに突出するのではなく、押下げ片の強制的な押下げ動作により、押下げられて、スイッチ本体から不正開封の検出信号を出力させるものであり、従来の検出スイッチのように、検出信号の出力時に作動片をさらに突出させるような付勢手段（圧縮コイルばね等）を使用しておらず、検出スイッチの作動片の周囲に作動片の移動を邪魔するようなゴミ等が付着していても、不正開封時に、押下げ片を利用して、作動片を、容易に、機械的、かつ、強制的に、押下げることができる。
【００１０】
そして、本発明に係る遊技機における基板ケースを閉じる前においては、押下げ片を保持する底側ケース部側若しくは蓋側ケース部側に、作動片の突出端を押下げ不能状態として、押下げ片を保持可能な保持部が設けられている。そのため、基板ケースを閉じるように、蓋側ケース部を底側ケース部に対して移動させても、押下げ片は、規制部によって位置規制しなければ、不用意に、スイッチ本体から検出信号を出力させるように、作動片の突出端を押下げず、そのため、検出スイッチを作動させずに、支障なく、基板ケースを閉じることができる。
【００１１】
したがって、本発明に係る遊技機では、基板ケースの不正開封時に、基板ケース内に設けた検出スイッチにより、安定して、かつ、確実に、不正開封を検出して報知できる。勿論、本発明に係る遊技機では、検出スイッチのスイッチ本体、作動片、及び、押下げ片を、全て、基板ケース内に配設させることができて、外部から検出スイッチを操作できず、安定して、不正開封を報知することができる。
【００１２】
そして、係合手段が、蓋側ケース部を、制御基板に沿う方向の閉じ方向にスライド移動させることにより、底側ケース部に係合させ、制御基板に沿う方向における閉じ方向と逆方向の開き方向にスライド移動させて、底側ケース部との係合を解除するように、構成され、
制御基板が、底側ケース部から離れる側に実装面を向けて、蓋側ケース部に固定され、
検出スイッチのスイッチ本体が、作動片を保持して、制御基板の実装面上に固定される構成としていれば、
押下げ片は、先端側に、作動片の突出端を突出可能に収納し、かつ、内周縁を不正開封時に作動片の突出端を押下げる操作面とする収納孔、を配設させるとともに、先端側を作動片の押下げ方向と逆方向の引上げ方向に回動可能に、元部側を、底側ケース部に軸支させて、配設し、
底側ケース部における押下げ片を軸支する軸支部は、保持部を構成して、押下げ片の押下げ方向側の面を支持する支持面を設けるとともに、引上げ方向に沿って移動可能に押下げ片を軸支する構成として、
規制部は、押下げ片の引上げ方向への移動を規制可能に、蓋側ケース部に設けられた嵌合部に抜け不能に嵌合されて、押下げ片における引上げ方向側の面に当接するストッパ、を設けるように構成することが望ましい。
【００１３】
このような構成では、基板ケースを閉じるように蓋側ケース部を閉じ方向に移動させる際、底側ケース部の軸支部に軸支され、かつ、軸支部の支持面に支持された押下げ片は、作動片の突出端を押下げることなく、先端側や元部側を引上げ方向に移動させる。すなわち、基板ケースを閉じる際、単に、蓋側ケース部を閉じ方向に移動させるだけで、押下げ片の先端側が、作動片の突出端を押し下げることなく、突出端を乗り越えて、収納孔内に作動片の突出端を収納させることができる。そして、閉じた後には、規制部を構成するストッパを、蓋側ケース部の嵌合部内に嵌合させれば、ストッパが、押下げ片の引上げ方向への移動を規制可能に、押下げ片に当接して、押下げ片は、軸支部の支持面とストッパとによって挟持されるように位置規制されて、引上げ方向への移動が規制されることとなる。そのため、その後に、基板ケースを不正開封しようとすれば、底側ケース部の蓋側ケース部に対する相対的な移動により、引上げ方向への移動を規制された押下げ片が、収納孔の内周縁の操作面により、作動片の突出端を押し下げることから、スイッチ本体から不正開封の検出信号が出力されることとなる。すなわち、上記のような構成では、単に基板ケースを閉じた後に、ストッパを嵌合部に嵌合させる操作だけで、基板ケース内に配置された検出スイッチを、基板ケース内に配置された状態で、容易に、不正開封の検出信号を出力可能にセットすることができる。
【００１４】
この場合、押下げ片は、元部側から先端側に向かう方向を、蓋側ケース部のスライド移動の方向に沿わせて、配設し、
蓋側ケース部の嵌合部は、ストッパを嵌入させる嵌合孔を備える筒形状に形成するとともに、嵌合孔の内周壁に、基板ケースを閉じる際のスライド移動時に押下げ片の先端側を作動片まで配置可能に挿入させる挿通孔、を設けて構成し、
底側ケース部の軸支部は、基板ケースを閉じた際に、ストッパにおける嵌合孔の開口側を除く周囲の全周を、嵌合部とともに、覆い可能なカバー部、を設けて構成することが望ましい。
【００１５】
このような構成では、押下げ片は、元部側の回動軸を、スライド移動方向と直交方向に配置させることができて、軸支部に軸支された元部側から離れた先端側を、大きく、かつ、円滑に回動できることとなって、作動片の突出端を押し下げることなく、先端側の作動片の突出端を乗り越える引上げ方向への移動が、円滑に行える。また、基板ケースを閉じた後には、軸支部側のカバー部と嵌合部とによって、嵌合孔の開口側を除くストッパの周囲の全周が、覆われることから、嵌合させたストッパを、治具等で外すことを不可能にできて、基板ケースの不正開封を、検出スイッチにより、安定して検出することができる。
【００１６】
なお、検出スイッチは、作動片の押下げ時に、オン信号を検出信号としたり、あるいは、オフ信号を検出信号として、スイッチ本体から出力することができる。ちなみに、オン信号を検出信号とする際には、遊技機の前面側の報知ランプを点灯させたり、ホールコンピュータに出力できる。また、オフ信号を検出信号とする場合には、遊技機の電源回路を遮断させることも可能となって、この場合には、遊技機の電源スイッチのオン動作時、遊技機の各種電気機器が作動しないことにより、不正開封を報知することができる。勿論、オフ信号を検出信号とする場合でも、ホールコンピュータに出力してもよい。
【図面の簡単な説明】
【００１７】
【図１】本発明の実施形態のパチンコ遊技機の背面側を示す概略図である。
【図２】実施形態に使用する制御基板を収納した基板ケースを示す概略斜視図である。
【図３】実施形態の基板ケースを示す概略斜視図である。
【図４】実施形態の基板ケースの概略分解斜視図である。
【図５】実施形態の基板ケースの概略端面図であり、図３のＶ−Ｖ部位に対応する。
【図６】実施形態の基板ケースの端面図であり、図３のVI−VI部位に対応する。
【図７】実施形態の基板ケースを閉じて、かしめ機構部のかしめピンによる封止作業を説明する概略部分断面図であり、図６のVII部位付近を示す。
【図８】実施形態の基板ケースを閉じる際の検出スイッチ付近の状態を順に示す概略断面図である。
【図９】実施形態の基板ケースを閉じてストッパを嵌合させる際の検出スイッチ付近の状態を順に示す概略断面図であり、図８の後の状態を示す。
【図１０】実施形態の基板ケースの不正開封時における検出スイッチ付近の状態を順に示す概略断面図である。
【図１１】実施形態の基板ケースの不正開封時における検出スイッチ付近の状態を順に示す概略断面図であり、図１０の後の状態を示す。
【図１２】実施形態の検出スイッチの検出によりランプを点灯させる際の電気回路図である。
【図１３】実施形態の変形例における検出スイッチの検出により、遊技機の電源をオフにする際の電気回路図である。
【図１４】他の実施形態のストッパを嵌合部に嵌合させる状態を示す概略断面図である。
【発明を実施するための形態】
【００１８】
以下、本発明の一実施形態を図面に基づいて説明すると、図１に示すように、実施形態の遊技機は、パチンコ遊技機１であって、遊技盤２の裏面（背面）に、制御基板（主制御基板）７（図２参照）を覆った基板ケース（主基板ケース）１０が配設されている。
【００１９】
なお、実施形態での上下と左右の各方向は、図１に示す遊技盤２の裏面側を基準とし、また、前後の方向は、遊技盤２の裏面側を後方側とし、遊技盤２の表面側（遊技領域側・正面側）を前方側とする。
【００２０】
そして、基板ケース１０は、軸方向を左右方向に沿わせて盤裏カバー３に配設された二本の取付軸５，５に対して、上縁１０ａに設けた断面Ｕ字状の取付フック３９を下方側から引っ掛けて、下縁１０ｂ側を、後方側（遊技機１の後方側であって図１に示す紙面の表側）に移動しないように、図示しない押え爪片に係止させて、配設されている。なお、基板ケース１０は、図示しない押え爪片の係止を解除させて下縁１０ｂを後方側に引けば、取付軸５回りで後方回転させて取り外すことができて、制御基板７に実装した電子部品の検査や基板ケース１０によって隠れていた電動チューリップの電磁ソレノイド等のメンテナンスを行うことができる。そして、取付軸５や図示しない押え爪片によって盤裏カバー３に取り付けられた基板ケース１０は、上縁１０ａ側に位置する各種のリード線を結線させた複数のターミナル部８を設けた部位を、盤裏カバー３の開閉可能な蓋部４の下縁に覆わせて、配設されることとなる。さらに、基板ケース１０は、制御基板７にリード線を結線させる上縁１０ａや左縁１０ｃ側のターミナル部８を配設させる複数の貫通孔１０ｄ（図１参照）、ＲＡＭ消去スイッチの貫通孔１０ｅを備えて構成されるとともに、さらに、図２に示すように、かしめ機構部１５、検出スイッチ５１の押下げ片５８、押下げ片５８の保持部６４、及び、押下げ片５８を位置規制する規制部７１を配設させて、構成されている。
【００２１】
また、基板ケース１０は、図２〜６に示すように、透明なポリカーボネート等の合成樹脂から形成されるとともに、対応する第１〜３の係合手段１１，１２，１３を有した前面側の底側ケース部３２と後面側の蓋側ケース部４２とを具備して構成されている。そして、基板ケース１０は、底側ケース部３２と蓋側ケース部４２との間に、制御基板７を収納して、対応する係合手段１１，１２，１３を係合させることにより、制御基板７の周囲を囲って閉じ、さらに、かしめ機構部１５をかしめて、封止されている。
【００２２】
基板ケース１０が覆っている制御基板７は、後面側を実装面７ａとして、ＣＰＵ、パチンコ遊技機１の遊技プログラムを記憶したＲＯＭや、遊技の進行に応じた遊技球の払い出し等の必要なデータを記憶するＲＡＭ、各種機器との連絡をとるポート、各種抽選の際に用いられる乱数発生器、時間計数や同期を図る場合などに使用されるクロックパルス発生回路等を備えて構成されている。さらに、制御基板７は、基板ケース１０の不正開封時に検出信号を出力可能な検出スイッチ５１における作動片５６を保持したスイッチ本体５２を、実装面７ａ側の右縁７ｄ側に固着させている（図２参照）。さらに、実施形態の場合、制御基板７は、実装面７ａを底側ケース部３２から離れる後面側に向けて、換言すれば、裏面７ｂ側を底側ケース部３２側に向けて、蓋側ケース部４２に固定されている（図５参照）。この制御基板７の蓋側ケース部４２への固定は、蓋側ケース部４２から前方側へ延びる複数の固定ピン４９を、制御基板７の周縁に設けられた取付孔７ｃに貫通させるとともに、実装面７ａ側を蓋側ケース部４２の支持面４２ａに当接させ、固定ピン４９の先端４９ａを拡径させるように溶融固化させる熱かしめすることにより、複数の固定ピン４９の拡径させた先端４９ａと支持面４２ａとの間で挟持して、行なっている（図５参照）。
【００２３】
基板ケース１０の底側ケース部３２と蓋側ケース部４２とは、図２〜４に示すように、それぞれ、相互に前後で略平行に対向するように配設される底壁部３３と天井壁部４３とを備えて構成されている。そして、底側ケース部３２と蓋側ケース部４２とは、それぞれ、対向する底壁部３３及び天井壁部４３と、それらの周縁から相互に接近するように延びる略筒形状の側壁部３４，４４と、を備えた略箱形状として構成されている。底壁部３３と天井壁部４３とは、それぞれ、左右方向に沿って長辺側を配置させた略長方形板状としている。なお、既述のターミナル部８等のための貫通孔１０ｄ，１０ｅは、蓋側ケース部４２の天井壁部４３に配設されている。そして、実施形態の場合、対応する相互の係合手段１１，１２，１３の係合時と係合解除時における底側ケース部３２と蓋側ケース部４２との相対的な移動方向は、制御基板７の実装面７ａに沿うスライド方向であって、さらに、遊技盤２の左右方向に沿う方向としている。
【００２４】
底側ケース部３２の側壁部３４は、上下で対向する上壁部３５と下壁部３６、及び、左右で対向する左壁部３７と右壁部３８、を備えて構成されている。同様に、蓋側ケース部４２の側壁部４４も、上下で対向する上壁部４５と下壁部４６、及び、左右で対向する左壁部４７と右壁部４８、を備えて構成されている。そして、底側ケース部３２と蓋側ケース部４２との第１の係合手段１１（図４，５，８，９参照）と第３の係合手段１３（図４参照）とは、上壁部３５，４５相互と、下壁部３６，４６相互とに、それぞれ、形成され、第２の係合手段１２（図４，６，７参照）は、右壁部３８，４８相互に形成されている。
【００２５】
第１の係合手段１１は、図４，８，９に示すように、上壁部３５，４５相互と、下壁部３６，４６相互とに、それぞれ、三箇所ずつ形成されている。具体的には、底側ケース部３２側の上壁部３５と下壁部３６とに、端面３５ａ，３６ａ側から前方に向かうとともに右方側に向かうような下方から見てＬ字状の挿入溝１１ｂを設けられて、左方に延びる形状の係止フック１１ａが形成され、蓋側ケース部４２側の上壁部４５と下壁部４６とに、挿入溝１１ｂに挿入されて係止フック１１ａに係止される係止ピン１１ｃが形成されて、係止フック１１ａと係止ピン１１ｃとによって、第１の係合手段１１が、構成されている。
【００２６】
また、蓋側ケース部４２側の上壁部４５と下壁部４６とには、端面に、底側ケース部３２の上壁部３５と下壁部３６との端面３５ａ，３６ａ側を挿入させる凹溝１１ｄが形成され（図５参照）、凹溝１１ｄの内周面を部分的に上下で連結するようにして、係止ピン１１ｃが形成されている（図５，８，９参照）。そして、凹溝１１ｄは、底側ケース部３２と蓋側ケース部４２との相互の係合と係合解除とのスライド方向（左右方向）への移動時（スライド移動時）、底面１１ｄａに底側ケース部３２の上壁部３５と下壁部３６との端面３５ａ，３６ａを摺動させている。すなわち、蓋側ケース部４２の各係止ピン１１ｃを、対応する挿入溝１１ｂの開口１１ｂａから挿入溝１１ｂ内に挿入させて、底側ケース部３２の上壁部３５と下壁部３６との端面３５ａ，３６ａを凹溝１１ｄの底面１１ｄａに当て、蓋側ケース部４２を右方側にスライド移動させて、蓋側ケース部４２の右壁部４８の外側面４８ａを底側ケース部３２の右壁部３８の内側面３８ａに当接させれば（図６，９参照）、各係止ピン１１ｃを、対応する係止フック１１ａに係止させることができる。そして、この第１の係合手段１１の係合完了時には、各係止ピン１１ｃが対応する係止フック１１ａの前面側に係止されて、蓋側ケース部４２の底側ケース部３２から後方側へ外れる移動が規制されることとなる。
【００２７】
なお、蓋側ケース部４２を右方側にスライド移動させて、蓋側ケース部４２の右壁部４８の外側面４８ａを底側ケース部３２の右壁部３８の内側面３８ａに当接させる際には、図６に示すように、蓋側ケース部４２の左壁部４７の内側面４７ａも、底側ケース部３２の左壁部３７の外側面３７ａに当接して、蓋側ケース部４２の右壁部４８の外側面４８ａにおける底側ケース部３２の右壁部３８の内側面３８ａへの当接とともに、係合手段１１の係合時のスライド移動が規制されて、係合完了となる。ちなみに、実施形態では、蓋側ケース部４２の配置状態として、係止ピン１１ｃが挿入溝１１ｂの開口１１ｂａから外れて、基板ケース１０を開けている状態（図８のＡ参照）を、分離外れ状態とし、そして、係止ピン１１ｃを、その分離外れ状態から、開口１１ｂａを経て、挿入溝１１ｂ内に挿入させて、底側ケース部３２の上壁部３５と下壁部３６との端面３５ａ，３６ａを、凹溝１１ｄの底面１１ｄａに当てた配置（図８のＢ参照）を、係合開始位置ＳＰとし、その後、蓋側ケース部４２を右方側にスライド移動させて、蓋側ケース部４２の右壁部４８の外側面４８ａを右壁部３８の内側面３８ａに当接させ、左壁部４７の内側面４７ａを左壁部３７の外側面３７ａに当接させて、係止ピン１１ｃを対応する係止フック１１ａに係止させた位置（図９のＢ参照）を、係合完了位置ＲＰとして、説明する。
【００２８】
そして、実施形態の場合、蓋側ケース部４２が係合開始位置ＳＰから係合完了位置ＲＰに配置される際には、第３の係合手段１３を構成する凹凸形状の嵌合部１３ａ，１３ｂが、相互に嵌合されて、係合解除方向（左方向）への移動を規制することとなる（図４参照）。なお、これらの嵌合部１３ａ，１３ｂは、上壁部３５，４５相互と下壁部３６，４６相互との対向する面相互に形成されており、強い力で、蓋側ケース部４２を係合解除方向へ移動させれば、嵌合を解除できるように設定されている。
【００２９】
また、実施形態の場合、蓋側ケース部４２を係合開始位置ＳＰから係合完了位置ＲＰまで右方向にスライド移動させる際、図６，８，９に示すように、第２の係合手段１２としての閂構造を構成する閂状突起１２ｂが嵌挿孔１２ａに嵌挿されて、蓋側ケース部４２の底側ケース部３２から後方側へ外れる移動が規制されることとなる。閂状突起１２ｂは、蓋側ケース部４２の右壁部４８から右方側に突設され、嵌挿孔１２ａは、底側ケース部３２の右壁部３８に形成されている。そして、蓋側ケース部４２の係合開始位置ＳＰへの配置時、閂状突起１２ｂの先端部１２ｃが、嵌挿孔１２ａの左方側に配置され、蓋側ケース部４２を係合開始位置ＳＰから係合完了位置ＲＰへ配置する際、閂状突起１２ｂは、元部１２ｄ付近を嵌挿孔１２ａの部位に配置させて、先端部１２ｃを嵌挿孔１２ａから右方側に突出させることとなる。
【００３０】
かしめ機構部１５は、蓋側ケース部４２を係合開始位置ＳＰから係合完了位置ＲＰまでスライド移動させて基板ケース１０を閉じた際に、図７に示すように、金属製のかしめピン２１を、蓋側ケース部４２のホルダ部１７から底側ケース部３２の嵌合部２６に跨ぐように押し込んで、かしめることにより、閉じた基板ケース１０を封止して、蓋側ケース部４２が底側ケース部３２から係合開始位置ＳＰ側への係合解除方向へスライド移動する操作（基板ケース１０の開け操作、あるいは、開封操作）を規制するものである。
【００３１】
そして、蓋側ケース部４２のホルダ部１７は、右壁部４８に設けられた略四角筒形状の周壁部１６によって、周囲を囲まれて配設され、内部に、かしめピン２１を嵌挿させる嵌挿孔１８を備えて構成されている。周壁部１６は、閂状突起１２ｂを設けた右壁部４８と共用して、その内側に略四角筒形状に形成されている。ホルダ部１７の嵌挿孔１８は、前後方向に貫通され、後面側の開口側から、六角柱穴状の大径部１８ａと、大径部１８ａより小径の円柱穴状の中径部１８ｂと、中径部１８ｂより小径として、かしめピン２１のピン本体２２の軸部２２ｂを嵌挿させる円柱穴状の小径部１８ｃと、を備えて構成されている。実施形態の場合、ホルダ部１７は、周壁部１６の右壁部４８側と共用となる外側壁１６ａと内側壁１６ｂとに対して、左右方向に沿って連結される板状の連結片部１９，１９により、連結支持されて、上下に合計２個配設されている。
【００３２】
かしめピン２１は、金属製として、ピン本体２２と支持リング２３とを備えて構成されている。ピン本体２２は、後端側の円板状の頭部２２ａと、頭部２２ａから前方の嵌合部２６側に延びる小径の円柱状の軸部２２ｂと、を備えて構成されている。軸部２２ｂは、ホルダ部１７の小径部１８ｃの内径寸法Ｄと略等しい外径寸法ｄとして、摺動可能にホルダ部１７に保持されている。そして、軸部２２ｂの先端部２２ｃには、環状溝２２ｄが設けられて、円板状の支持リング２３が外周側に嵌められている。支持リング２３は、ピン本体２２を嵌合部２６内に圧入させてかしめた際、ホルダ部１７の先端面１７ａと嵌合部２６の嵌合孔２７における小径部２７ｂの周縁との間で位置規制されて、軸部２２ｂの引き抜き方向（後方向）への移動時、軸部２２ｂを貫通させるように設けられた支持リング２３の貫通孔２３ａの内周縁を、軸部２２ｂの外周面に食い込ませるようにして、軸部２２ｂの移動を規制することとなる。
【００３３】
また、底側ケース部３２の嵌合部２６は、周壁部２５に周囲を囲まれる略円筒状として、右壁部３８に周囲を囲まれて配設されるとともに、かしめピン２１のピン本体２２の先端部２２ｃを圧入可能な嵌合孔２７の小径部２７ｂを備えて構成されている。周壁部２５は、係合手段１２の嵌挿孔１２ａを設けた右壁部３８と共用して、その内側に略四角筒形状に形成されている。嵌合部２６は、後端側だけに開口面を有して前方側に延びる嵌合孔２７を備え、嵌合孔２７は、ピン本体２２の軸部２２ｂの先端部２２ｃ側を圧入可能な小径部２７ｂと、小径部２７ｂの開口周縁に配設されて、支持リング２３を収納可能な大径部２７ａと、を備えて構成されている。この嵌合部２６も、連結片部２８を利用して、周壁部２５に連結支持され、上下に合計２個配設されている。なお、連結片部２８は、制御基板７に沿って周壁部２５と各嵌合部２６とを連結する横板部２８ａと、各嵌合部２６から左右方向に沿って、右壁部３８側と共用となる外側壁２５ａと内側壁２５ｂとに対して、連結される縦板部２８ｂ，２８ｂと、から構成されている。
【００３４】
そして、このかしめ機構部１５は、図７のＡ，Ｂに示すように、基板ケース１０を閉じた状態で、金属製のかしめピン２１を、蓋側ケース部４２のホルダ部１７から底側ケース部３２の嵌合部２６に跨ぐように押し込んでかしめることにより、閉じた基板ケース１０を封止している。この封止時、かしめピン２１が、その軸部２２ｂを、蓋側ケース部４２のホルダ部１７における嵌挿孔１８の小径部１８ｃと、底側ケース部３２の嵌合部２６における嵌合孔２７の小径部２７ｂと、に跨って配置されることから、蓋側ケース部４２が係合開始位置ＳＰ側へ移動するスライド移動を規制され、基板ケース１０を開くことが規制される。
【００３５】
なお、かしめピン２１は、ホルダ部１７の先端面１７ａと嵌合部２６の大径部２７ａの底面となる端面２６ａとの間で位置規制される支持リング２３の貫通孔２３ａの内周縁が、ピン本体２２の外周面に食い込むことから、ホルダ部１７からの抜け方向の移動を規制されることとなる。さらに、ピン本体２２の頭部２２ａの引き抜き操作を行えないように、キャップ３０が、ホルダ部１７の嵌挿孔１８に外れ不能に嵌入されることから、かしめ機構部１５のかしめピン２１をかしめた後には、かしめ機構部１５を破壊しないと、閉じた基板ケース１０を開けることができない。そして、制御基板７のＲＯＭ等の電子部品の検査のために、基板ケース１０を強制的に開ける場合には、かしめたかしめピン２１を設けたホルダ部１７から延びる二本の連結片部１９，１９を破断して（図７のＢの二点鎖線参照）、ホルダ部１７と周壁部１６との連結を断ち、かしめピン２１の軸部２２ｂを嵌合孔２７から引き抜きつつ、ホルダ部１７を蓋側ケース部４２から取り外して、蓋側ケース部４２を、係合開始位置ＳＰ側にスライド移動させ、さらに、分離外れ状態に移動させれば、基板ケース１０を開けることができる。
【００３６】
そして、実施形態の検出スイッチ５１は、図４，８〜１１に示すように、スイッチ本体５２、作動片５６、及び、押下げ片５８、を備えて構成されて、蓋側ケース部４２の底側ケース部３２からの外れ方向への移動（係合完了位置ＲＰから係合開始位置ＳＰへの左方向へのスライド移動）を検出し、その際の開封時の検出信号を出力するように構成されている。
【００３７】
なお、実施形態の場合、図１２に示すように、検出スイッチ５１は、遊技機１の電源基板８２に連なる電源回路８０において、ランプ８３を点灯させる点灯スイッチ８４を構成しており、オン信号を出力すれば、遊技機１の電源スイッチ８１のオン時、ランプ８３が点灯して、基板ケース１０が開封されたことを報知することとなる。ちなみに、ランプ８３は、遊技機１の前面側に配設されている。また、電源基板８２は、遊技機１の制御基板７や、図示しない演出制御基板、払い出し制御基板、発射制御基板へ電源を供給する部位としている。
【００３８】
そして、実施形態の場合、スイッチ本体５２は、図４，８〜１１に示すように、蓋側ケース部４２側に固定された制御基板７の実装面７ａ上に配設固定されており、押しボタンスイッチからなるボタンスイッチ部５３と、ボタンスイッチ部５３の周囲を囲うハウジング５４と、を備えて構成されている。ボタンスイッチ部５３は、プッシュプル動作でオンオフする常開形の接点タイプとして、操作部５３ａの押し込み操作により、オン信号を出力し、そして、内部のロック機構により、その押しこみ位置を維持する動作機構としている。ハウジング５４は、突出孔５４ｂを開口させた天板部５４ａを備えて構成されている。突出孔５４ｂは、作動片５６の突出端５６ｂを突出可能に開口されるとともに、内周面は、作動片５６の鍔部５６ｃを係止可能な係止凹部５４ｃを設けて構成されている。なお、天板部５４ａの内周側の突出孔５４ｂの内周縁は、戻り規制部５５として構成され、作動片５６の鍔部５６ｃが係止凹部５４ｃから外れて押し込まれれば、鍔部５６ｃは、係止凹部５４ｃ側に復帰できないように、戻り規制部５５に係止されることとなる。
【００３９】
作動片５６は、図４，８〜１１に示すように、制御基板７の実装面７ａ側に押下げ可能にスイッチ本体５２内に収納保持されている。作動片５６は、スイッチ本体５２の突出孔５４ｂから突出端５６ｂを突出可能な略半円球状の頭部５６ａを備えるとともに、突出端５６ｂから離れた端部外周縁に、ハウジング５４の係止凹部５４ｃに係止可能な鍔部５６ｃを突設させている。この作動片５６は、押下げ動作時に、鍔部５６ｃを係止凹部５４ｃから離脱させるとともに戻り規制部５５に規制させて、復帰不能にハウジング５４内に落ち込み、突出端５６ｂから離れた円形の端面５６ｄによって、ボタンスイッチ部５３の操作部５３ａを押し込み操作する。
【００４０】
押下げ片５８は、図４，８〜１１に示すように、作動片５６の突出端５６ｂの周囲に配設されるとともに、閉じた後の基板ケース１０の開封時に、作動片５６の突出端５６ｂに摺動して作動片５６を押下げ可能に配設されるもので（図１０，１１参照）、実施形態の場合、底側ケース部３２側に設けられた保持部６４に保持されて配設されている。この押下げ片５８は、実施形態の場合、元部５８ｂ側から先端５８ａ側に向かう方向を、蓋側ケース部４２のスライド移動の方向に沿わせ、かつ、制御基板７に沿う長方形板状として、配設されている。また、押下げ片５８は、先端５８ａ側に、作動片５６の突出端５６ｂを突出可能に収納し、かつ、内周縁を開封時に作動片５６の突出端５６ｂを押下げる操作面５９とする円形に開口した収納孔６０、を配設させている。また、押下げ片５８は、先端５８ａ側を作動片５６の押下げ方向ＰＤと逆方向の引上げ方向ＰＵに回動可能に、元部５８ｂ側の両縁から突設させた軸部６１，６１を、底側ケース部３２に設けた保持部６４に軸支させて、配設されている。
【００４１】
底側ケース部３２の保持部６４は、図４，８〜１１に示すように、基板ケース１０を閉じる前において、作動片５６の突出端５６ｂを押下げ不能状態として、押下げ片５８を保持可能に構成されている。具体的には、保持部６４は、かしめ機構部１５の底側ケース部３２側の嵌合部２６に隣接して、周壁部２５に囲まれるように、配設されている。そして、保持部６４は、押下げ片５８の元部５８ｂ側を軸支する軸支部６５として構成され、この軸支部６５は、嵌合部２６と周壁部２５とを連結する連結片部２８の横板部２８ａを延設させた台座６６に、二つの止め輪部６６ａを設けて構成されている。これらの二つの止め輪部６６ａは、内周側を、押下げ片５８の軸部６１，６１を回動可能に軸支する軸支孔６６ｂとしている。軸支孔６６ｂは、その内径寸法を、軸部６１の外径寸法より大きく設定されて、押下げ片５８の全体を引上げ方向ＰＵに移動可能に、軸部６１を余裕を持って軸支できるように設定されている。また、軸支部６５は、台座６６の表面（後面）側に、押下げ片５８の押下げ方向ＰＤ側の面（裏面）５８ｄを支持する支持面６７、を備えて構成されている。
【００４２】
なお、実施形態の場合、裏面５８ｄに当接する支持面６７は、台座６６から突設された支持突起６６ｃに設けられており、そして、押下げ片５８は、裏面５８ｄを支持された際に、裏面５８ｄ側の収納孔６０の周縁を、スイッチ本体５２のハウジング５４の先端面５４ｄに当接させるように、底側ケース部３２の底壁部３３からの高さ位置が、設定されている。
【００４３】
また、軸支部６５側における台座６６の外周縁には、かしめ機構部１５における底側ケース部３２側の周壁部２５が配設されており、台座６６から後方に延びる周壁部２５の部位は、基板ケース１０を閉じた際に、押下げ片５８や後述するストッパ７７における嵌合孔７３の開口７３ａ側を除く周囲の全周を、嵌合部７２の周壁７４とともに覆うこととなるカバー部６９、としている。
【００４４】
規制部７１は、図４，９，１０に示すように、基板ケース１０を閉じた後における開封時の押下げ片５８の移動時に、作動片５６を押下げ可能に押下げ片５８を位置規制するものであり、実施形態の場合、蓋側ケース部４２に配設されている。この規制部７１は、実施形態の場合、押下げ片５８の引上げ方向ＰＵへの移動を規制可能に、押下げ片５８の元部５８ｂ付近における引上げ方向ＰＵ側の面（表面）５８ｃに当接するストッパ７７によって、構成されている。このストッパ７７は、かしめ機構部１５の蓋側ケース部４２側のホルダ部１７に隣接して設けられた嵌合部７２に、抜け不能に嵌合されて、配設されることとなる。
【００４５】
嵌合部７２は、略正方形状に開口して、押下げ片５８の引上げ方向ＰＵに沿って、天井壁部４３を貫通する嵌合孔７３を備えて構成されている。嵌合孔７３を囲む周壁７４は、かしめ機構部１５の周壁部１６の外側壁１６ａ、内側壁１６ｂ、蓋側ケース部４２の下壁部４６からの延設部４６ａ、及び、ホルダ部１７側と区画する区画壁１６ｃ、を備えて構成される略四角筒形状に構成されている（図４参照）。
【００４６】
そして、嵌合孔７３に嵌合されるストッパ７７は、外形寸法を嵌合孔７３の内周形状に対応させた略四角柱状に形成されており、また、元部側端面７７ａを天井壁部４３と略面一とするように、嵌合孔７３に圧入させて嵌合させた際、先端面（規制面）７７ｂを、押下げ片５８の表面５８ｃ側の元部５８ｂ付近の全域に圧接させるように、構成されている。なお、ストッパ７７の嵌合孔７３への圧入時、抜け防止を強固に図るために、適宜、接着剤を利用してもよい。また、規制面７７ｂは、ストッパ７７の嵌合孔７３への嵌合時、軸支部６５の止め輪部６６ａ，６６ａに接触しないように設定されるとともに、蓋側ケース部４２をスライドさせて開ける際、軸支部６５や押下げ片５８の元部側端面５８ｅに引っ掛からないように、設定されている。
【００４７】
さらに、嵌合部７２の周壁（内周壁）７４には、内側壁１６ｂの部位に、基板ケース１０を閉じる際のスライド移動時に押下げ片５８の先端５８ａ側を作動片５６まで配置可能に挿入させる挿通孔７５が、左右方向に貫通するように開口されている。なお、挿通孔７５の開口形状は、挿通孔７５への挿入時における押下げ片５８が、引上げ方向ＰＵに移動しつつ、作動片５６の頭部５６ａを円滑に乗り越えて、収納孔６０内に頭部５６ａの突出端５６ｂを収納できるように、押下げ片５８の幅方向（上下方向）の外形形状より、大きく設定されている。
【００４８】
実施形態のパチンコ遊技機１では、制御基板７を固定した基板ケース１０の蓋側ケース部４２を、底側ケース部３２に被せて、各係止ピン１１ｃを対応する挿入溝１１ｂの開口１１ｂａを経て、挿入溝１１ｂ内に挿入させて、蓋側ケース部４２を係合開始位置ＳＰに配置させる（図６、図８のＡ，Ｂ参照）。ついで、図８のＣ、図９のＡ，Ｂに示すように、蓋側ケース部４２を、係合方向となる右方側にスライド移動させて、係合完了位置ＲＰに配置させれば、第１の係合手段１１の係止ピン１１ｃが係止フック１１ａに係止され、また、第２の係合手段１２の閂状突起１２ｂが嵌挿孔１２ａに嵌挿され、さらに、第３の係合手段１３の嵌合部１３ａ，１３ｂ相互が嵌合する。と同時に、押下げ片５８の先端５８ａ側が、挿通孔７５内に挿入され、さらに、検出スイッチ５１の作動片５６の頭部５６ａに摺動しつつ、さらに適宜、軸支部６５の軸支孔６６ｂに緩く軸部６１を軸支させた元部５８ｂ側を含めて、引上げ方向ＰＵに移動し、そして、作動片５６の頭部５６ａを乗り越えて、収納孔６０内に、頭部５６ａの突出端５６ｂを収納させることとなる。この時、押下げ片５８は、裏面５８ｄ側を、検出スイッチ５１のスイッチ本体５２におけるハウジング５４の先端面５４ｄと、軸支部６５の支持面６７と、に当接させることとなる。
【００４９】
そして、蓋側ケース部４２を係合完了位置ＲＰに配置させた後には、かしめ機構部１５のかしめピン２１を、嵌合部２６の嵌合孔２７に押し込むようにかしめて、ホルダ部１７の嵌挿孔１８内にキャップ３０を嵌めて、基板ケース１０を封止する。と同時に、ストッパ７７を規制部７１の嵌合孔７３内に嵌入させて、ストッパ７７の先端側の規制面７７ｂを押下げ片５８の表面５８ｃ側に当接させれば、基板ケース１０の封止作業を完了させることができる。その後、制御基板７のターミナル部８に所定のリード線を結線しつつ、基板ケース１０を、取付軸５等を利用して、盤裏カバー３に取り付けることとなる。
【００５０】
その後、実施形態のパチンコ遊技機１では、基板ケース１０を不正に開ける際、図１０，１１に示すように、蓋側ケース部４２を係合完了位置ＲＰから係合開始位置ＳＰに左方側に向けてスライド移動させることとなる。なお、この不正開封時には、基板ケース１０のターミナル部８からリード線を抜いて、盤裏カバー３から基板ケース１０を取り外し、かしめピン２１をかしめていたホルダ部１７の左右の連結片部１９，１９を切断し、かしめピン２１ごと、ホルダ部１７を蓋側ケース部４２から外して行う。
【００５１】
そして、この蓋側ケース部４２のスライド移動時、実施形態の基板ケース１０では、図１０のＡ，Ｂ、図１１のＡに示すように、検出スイッチ５１の押下げ片５８が、検出スイッチ５１の作動片５６に対して相対的に右方側に移動し、収納孔６０の周縁の操作面５９により、作動片５６の突出端５６ｂを押下げることとなる。そして、作動片５６は、押下げ動作時に、鍔部５６ｃを係止凹部５４ｃから離脱させるとともに戻り規制部５５に係止させて、復帰不能にハウジング５４内に落ち込み、突出端５６ｂから離れた円形の端面５６ｄによって、検出スイッチ５１のスイッチ本体５２におけるボタンスイッチ部５３の操作部５３ａを押し込み操作することから、ボタンスイッチ部５３は、内部のロック機構により、その押しこみ位置を維持して、オン信号を出力可能に維持することとなる。そのため、制御基板７の電子部品に対して不正行為を行って、基板ケース１０を閉じ、かしめ機構部１５における連結片部１９，１９の破断の痕跡を隠すようにしてホルダ部１７を蓋側ケース部４２に戻し、所定のリード線を結線しつつ、基板ケース１０の遊技機１に再取付けしても、ボタンスイッチ部５３が、蓋側ケース部４２の底側ケース部３２からの外れを検出した検出信号を出力できる。そして、実施形態の場合には、検出スイッチ５１のボタンスイッチ部５３が、遊技機１の電源基板８２に連なる電源回路８０において、遊技機１の前面側に配設されたランプ８３を点灯させる点灯スイッチ８４を構成しており、ボタンスイッチ部５３がオン信号を出力可能に維持されていれば、遊技機１の電源スイッチ８１のオン動作時、ランプ８３が点灯して、基板ケース１０が不正開封されたことを報知することとなる。
【００５２】
そして、実施形態の遊技機１では、基板ケース１０の不正開封時、検出スイッチ５１の作動片５６が、蓋側ケース部４２の底側ケース部３２からの外れ（スライド移動）に伴って、さらに突出するのではなく、押下げ片５８の強制的な押下げ動作により、押下げられて、スイッチ本体５２から不正開封の検出信号を出力させるものであり、従来の検出スイッチのように、検出信号の出力時に作動片をさらに突出させるような付勢手段（圧縮コイルばね等）を使用しておらず、検出スイッチ５１の作動片５６の周囲に作動片５６の移動を邪魔するようなゴミ等が付着していても、不正開封時に、押下げ片５８を利用して、作動片５６を、容易に、機械的、かつ、強制的に、押下げることができる。
【００５３】
そして、実施形態における基板ケース１０を閉じる前においては、押下げ片５８を保持する底側ケース部３２側に、作動片５６の突出端５６ｂを押下げ不能状態として、押下げ片５８を保持可能な保持部６４としての軸支部６５が設けられている。そのため、基板ケース１０を閉じるように、蓋側ケース部４２を底側ケース部３２に対して移動させても、図８，９に示すように、押下げ片５８は、規制部７１のストッパ７７によって位置規制しなければ、不用意に、スイッチ本体５２から検出信号を出力させるように、作動片５６の突出端５６ｂを押下げず、そのため、検出スイッチ５１をオン動作するように作動させずに、支障なく、基板ケース１０を閉じることができる。
【００５４】
したがって、実施形態の遊技機１では、基板ケース１０の不正開封時に、基板ケース１０内に設けた検出スイッチ５１により、安定して、かつ、確実に、不正開封を検出して報知できる。勿論、実施形態の遊技機１では、検出スイッチ５１のスイッチ本体５２、作動片５６、及び、押下げ片５８を、全て、基板ケース１０内に配設させることができて、外部から検出スイッチ５１を操作できず、安定して、不正開封を報知することができる。
【００５５】
なお、適正に開封する際にも、検出スイッチ５１のスイッチ本体５２が、既述と同様に、オン信号を出力することから、その際には、ハウジング５４のおける戻り規制部５５を設けた天板部５４ａを切除して、スイッチ本体５２から作動片５６を外し、プッシュプル動作タイプのボタンスイッチ部５３の操作部５３ａを引き上げておけば、適正開封後に、検出スイッチ５１は、オン信号の出力を停止させることができる。ちなみに、不正開封時、このようにハウジング５４を破壊すれば、スイッチ本体５２が目視し易い制御基板７の後面側の実装面７ａ上に配置されており、その破壊の痕跡を、容易に目視できることから、この検出スイッチ５１の破損によっても、容易に、不正開封を確認できることとなる。
【００５６】
そして、実施形態の場合、第１，２，３の各係合手段１１，１２，１３が、蓋側ケース部４２を、制御基板７に沿う方向の閉じ方向にスライド移動させることにより、底側ケース部３２に係合させ、制御基板７に沿う方向における閉じ方向（実施形態では右方向）と逆方向の開き方向（左方向）にスライド移動させて、底側ケース部３２との係合を解除するように、構成されている。また、制御基板７が、底側ケース部３２から離れる側の後面に実装面７ａを向けて、蓋側ケース部４２に固定され、検出スイッチ５１のスイッチ本体５２が、作動片５６を保持して、制御基板７の実装面７ａ上に固定される構成としている。さらに、押下げ片５８が、先端５８ａ側に、作動片５６の突出端５６ｂを突出可能に収納し、かつ、内周縁を不正開封時に作動片５６の突出端５６ｂを押下げる操作面５９とする収納孔６０、を配設させるとともに、先端５８ａ側を作動片５６の押下げ方向ＰＤと逆方向の引上げ方向ＰＵに回動可能に、元部５８ｂ側を、底側ケース部３２の保持部６４としての軸支部６５に軸支させて、配設されている。そして、この軸支部６５が、押下げ片５８の押下げ方向ＰＤ側の裏面５８ｄを支持する支持面６７を備えるとともに、引上げ方向ＰＵに沿って移動可能に押下げ片５８を止め輪部６６ａにより軸支する構成としている。さらに、規制部７１が、押下げ片５８の引上げ方向ＰＵへの移動を規制可能に、蓋側ケース部４２に設けられた嵌合部７２に抜け不能に嵌合されて、押下げ片５８における引上げ方向ＰＵ側の表面５８ｃ側に当接するストッパ７７、を設けて構成されている。
【００５７】
そのため、実施形態では、基板ケース１０を閉じるように蓋側ケース部４２を閉じ方向（右方側）に移動させる際、図８，９に示すように、底側ケース部３２の軸支部６５に軸支され、かつ、軸支部６５の支持面６７に裏面５８ｄを支持された押下げ片５８は、作動片５６の突出端５６ｂを押下げることなく、先端５８ａ側や元部５８ｂ側を引上げ方向ＰＵに移動させる。すなわち、基板ケース１０を閉じる際、単に、蓋側ケース部４２を閉じ方向に移動させるだけで、押下げ片５８の先端５８ａ側が、作動片５６の突出端５６ｂを押し下げることなく、突出端５６ｂを乗り越えて、収納孔６０内に作動片５６の突出端５６ｂを収納させることができる。そして、閉じた後には、規制部７１を構成するストッパ７７を、蓋側ケース部４２の嵌合部７２の嵌合孔７３内に嵌合させれば、ストッパ７７が、押下げ片５８の引上げ方向ＰＵへの移動を規制可能に、規制面７７ｂを押下げ片５８の表面５８ｃ側に当接させて、押下げ片５８は、軸支部６５の支持面６７とストッパ７７の規制面７７ｂとによって挟持されるように位置規制されて、引上げ方向ＰＵへの移動が規制されることとなる。そのため、その後に、基板ケース１０を不正開封しようとすれば、底側ケース部３２の蓋側ケース部４２に対する相対的な移動（蓋側ケース部４２の左方移動、若しくは、底側ケース部３２の右方移動）により、引上げ方向ＰＵへの移動を規制された押下げ片５８が、図１０，１１に示すように、収納孔６０の内周縁の操作面５９により、作動片５６の突出端５６ｂを押し下げることから、スイッチ本体５２から不正開封の検出信号が出力可能となる。すなわち、上記のような構成では、単に基板ケース１０を閉じた後に、ストッパ７７を嵌合部７２の嵌合孔７３に嵌合させる操作だけで、基板ケース１０内に配置された検出スイッチ５１を、基板ケース１０内に配置された状態で、容易に、不正開封の検出信号を出力可能にセットすることができる。
【００５８】
この場合、実施形態では、押下げ片５８が、元部５８ｂ側から先端５８ａ側に向かう方向を、蓋側ケース部４２のスライド移動の方向に沿わせて、配設され、蓋側ケース部４２の嵌合部７２が、ストッパ７７を嵌入させる嵌合孔７３を備える筒形状に形成されて、嵌合孔７３の内周壁（周壁）７４に、基板ケース１０を閉じる際のスライド移動時に押下げ片５８の先端５８ａ側を作動片５６まで配置可能に挿入させる挿通孔７５が、形成されている。そして、底側ケース部３２の軸支部６５が、基板ケース１０を閉じた際に、ストッパ７７における嵌合孔７３の開口７３ａ側を除く周囲の全周を、嵌合部７２とともに、覆い可能なカバー部６９を備えて構成されている。
【００５９】
そのため、実施形態では、押下げ片５８が、元部５８ｂ側の回動軸（軸部）６１，６１を、スライド移動方向と直交方向（実施形態の場合、上下方向）に沿って配置させることができて、軸支部６５に軸支された元部５８ｂ側から離れた先端５８ａ側を、大きく、かつ、円滑に回動できることとなる。その結果、押下げ片５８は、作動片５６の突出端５６ｂを押し下げることなく、先端５８ａ側の作動片５６の突出端５６ｂを乗り越える引上げ方向ＰＵへの移動を、円滑に行える。また、基板ケース１０を閉じた後には、軸支部６５側のカバー部６９と嵌合部７２とによって、嵌合孔７３の開口７３ａ側を除くストッパ７７の周囲の全周が、覆われることから、嵌合させたストッパ７７を、治具等で外すことを不可能にできて、基板ケース１０の不正開封を、検出スイッチ５１により、安定して検出することができる。
【００６０】
なお、実施形態の押下げ片５８では、元部５８ｂから先端５８ａ側に向かう方向を、左方向としたが、軸支部６５を底側ケース部３２の左壁部３７に設け、規制部７１や挿通孔７５を蓋側ケース部４２の左壁部４７側に設ける等すれば、押下げ片５８の元部５８ｂから先端５８ａ側に向かう方向を、右方向とすることも可能となる。
【００６１】
また、押下げ片の回動を確保できれば、例えば、図４の括弧書きの二点鎖線に示す押下げ片５８Ａのように、押下げ片５８Ａの元部５８ｂから先端５８ａに向かう方向を、蓋側ケース部４２の係合時のスライド方向と直交する上向き等の上下方向としてもよい。すなわち、規制部７１や挿通孔７５を蓋側ケース部４２の上壁部４５側や下壁部４６側に設けて、基板ケース１０を閉じる際、押下げ片５８Ａが、引き上げ方向ＰＵに軸部６１回りで回動できて、押下げ片５８Ａの先端５８ａが、作動片５６の突出端５６ｂを乗り越えることができ、かつ、不正開封時、位置規制された押下げ片５８Ａの収納孔６０の周縁の操作面５９により、突出端５６ｂを押し下げ可能であれば、押下げ片５８Ａにおける軸支部に軸支される軸部６１，６１の軸方向が、スライド方向の左右方向に沿うように、配設されていてもよい。
【００６２】
さらに、実施形態では、検出スイッチ５１が、作動片５６の押下げ時に、オン信号として検出信号を出力可能な常開形の接点タイプのボタンスイッチ部５３を使用しているが、ボタンスイッチ部を常閉形の接点タイプとして、作動片５６の押下げ時に、オフ信号として検出信号を出力可能に構成してもよい。例えば、常閉形の接点タイプのボタンスイッチ部５３Ａを利用したスイッチ本体５２Ａを使用する場合には、図１３の電源回路８０Ａのように、電源スイッチ８１や電源基板８２と直列的にスイッチ本体５２Ａのボタンスイッチ部５３Ａを接続させる構成を例示できる。この場合、ボタンスイッチ部５３Ａが、押下げられて、オフ信号を検出信号として出力し、換言すれば、遊技機の電源回路８０Ａを遮断させることとなることから、その結果、この電源回路８０Ａでは、遊技機の電源スイッチ８１のオン動作時、遊技機の各種電気機器が作動しないこととなって、その作動停止状態により、不正開封を報知することができる。この場合、オフ信号をホールコンピュータ側に出力するように構成してもよい。なお、検出スイッチの検出信号を出力する場合、実施形態のように、オン信号を出力する場合でも、ホールコンピュータ側に出力させてもよい。
【００６３】
また、実施形態では、基板ケース１０を閉じた後に、押下げ片５８の引上げ方向ＰＵへの移動を規制する規制部７１を、押下げ片５８を保持する保持部６４側の底側ケース部３２と相違する蓋側ケース部４２側に、設けた場合を示した。しかし、図１４の基板ケース１０Ｂのように、規制部７１Ｂとしてのストッパ７７Ｂを嵌合させる嵌合孔７３Ｂを備えた嵌合部７２Ｂを、制御基板７を取り付けた蓋側ケース部４２Ｂ側でなく、押下げ片５８を保持する保持部６４としての軸支部６５を設けた底側ケース部３２Ｂ側に、設けてもよい。図例のストッパ７７Ｂは、底側ケース部３２Ｂの右壁部３８に設けられた嵌合部７２Ｂの嵌合孔７３Ｂに嵌合されて、側面（規制面）７７ｂを押下げ片５８の表面５８ｃに押し当て、支持面６７と規制面７７ｂとで挟持するようにして、押上げ片５８の引上げ方向ＰＵの移動を規制している。また、このストッパ７７Ｂには、先端に、ばね弾性的に撓んで、嵌合孔７３Ｂの開口７３ａから離れた先端側の周縁７３ｂや押上げ片５８に設けられた係止孔５８ｆに抜け不能に係止される係止脚７７ｃが、形成されており、ストッパ７７Ｂでは、係止脚７７ｃを周縁７３ｂや係止孔５８ｆに係止させれば、嵌合孔７３Ｂの嵌合後の外れが防止されることとなる。
【００６４】
この基板ケース１０Ｂでも、実施形態と同様な係合手段や検出スイッチ５１を備えており、実施形態と同様な作用・効果を得ることができる。さらに、これらの規制部７１，７１Ｂのストッパ７７，７７Ｂは、底側ケース部３２や蓋側ケース部４２にともに設けた嵌合部に、嵌合させて、配設されるように構成してもよい。
【００６５】
さらに、実施形態では、制御基板７を蓋側ケース部４２に固定させた場合を示したが、底側ケース部に、検出スイッチにおける作動片を保持したスイッチ本体を設けた制御基板を固定し、蓋側ケース部に保持部や検出スイッチの押下げ片を配設させてもよい。この場合、押下げ片の引上げ方向の移動を規制する規制部は、実施形態の規制部７１の構成を転用して、底側ケース部に配設したり、あるいは、図１５に示す規制部７１Ｂの構成を転用して、蓋側ケース部に、配設してもよい。
【００６６】
さらにまた、実施形態では、対応する相互の係合手段１１，１２，１３の係合時における底側ケース部３２と蓋側ケース部４２との相対的な移動方向を、制御基板７に沿う左右方向のスライド方向として、構成した。しかし、相互の係合手段を対応させて、係合時における底側ケース部と蓋側ケース部との相対的な移動方向を、制御基板と直交する方向として、検出スイッチや保持部、さらに、規制部を、底側ケース部と蓋側ケース部とに対応させて配設させてもよい。
【００６７】
さらに、実施形態では、パチンコ遊技機１の制御基板７を覆う基板ケース１０について説明したが、本発明は、スロットマシン等の遊技機の制御基板を覆う基板ケースに適用してもよい。
【符号の説明】
【００６８】
１…（パチンコ）遊技機、
７…制御基板、
７ａ…実装面、
１０，１０Ｂ…基板ケース、
１１，１２，１３…係合手段、
３２，３２Ｂ…底側ケース部、
４２，４２Ｂ…蓋側ケース部、
５１…検出スイッチ、
５２，５２Ａ…スイッチ本体、
５６…作動片、
５６ｂ…突出端、
５８，５８Ａ…押下げ片、
５８ａ…（押下げ片の）先端、
５８ｂ…（押下げ片の）元部、
５９…操作面、
６０…収納孔、
６４…保持部、
６５…軸支部、
６７…支持面、
６９…カバー部、
７１，７１Ｂ…規制部、
７２，７２Ｂ…嵌合部、
７３，７３Ｂ…嵌合孔、
７４…（内周壁）周壁、
７５…挿通孔、
７７，７７Ｂ…ストッパ。
【図１】
2010187769.tif 000003
【図２】
2010187769.tif 000004
【図３】
2010187769.tif 000005
【図４】
2010187769.tif 000006
【図５】
2010187769.tif 000007
【図６】
2010187769.tif 000008
【図７】
2010187769.tif 000009
【図８】
2010187769.tif 000010
【図９】
2010187769.tif 000011
【図１０】
2010187769.tif 000012
【図１１】
2010187769.tif 000013
【図１２】
2010187769.tif 000014
【図１３】
2010187769.tif 000015
【図１４】
2010187769.tif 000016